(57)【要約】  コンテンツアイテム又はコンテンツアイテムの一部分が、種々の技術に基づき、プレビューに使用できるようにされる。ある技術では、コンテンツアイテムの指定の部分が平文で送信される一方、残りの部分が暗号化形態で送信される。他の技術では、コンテンツアイテム全体が暗号化形態で送信される。しかしながら、コンテンツアイテムを解読するためのコンテンツキーは、プレビューのために指定されたある部分については平文形態で送信され、且つ残りの部分については暗号化形態で送信される。又、コンテンツアイテム全体が暗号化形態で送信されてもよい。同様に、コンテンツアイテムを解読するためのコンテンツキーも、暗号化形態で送信される。しかしながら、コンテンツキーを解読するためのプレビュー権利キーが送信されてもよい。これらの権利キーには、それらの使用を制限する使用ルールが関連付けられる。
2008512915.tif 000002
【特許請求の範囲】
【請求項１】
（ａ）プレビューのためにコンテンツアイテムの１つ以上の部分を指定するステップと、
（ｂ）前記１つ以上の指定の部分に関する情報を有する電子サービスガイド(ESG)を発生するステップと、
（ｃ）前記１つ以上の指定の部分を平文形態でネットワークにわたって送信するステップと、
（ｄ）前記コンテンツアイテムの残りの部分を暗号化形態でネットワークにわたって送信するステップと、
を備えた方法。
【請求項２】
前記ステップ（ａ）は、時間間隔を指定することを含む、請求項１に記載の方法。
【請求項３】
前記指定の時間間隔は、周期的に発生する、請求項２に記載の方法。
【請求項４】
前記ネットワークは、デジタル・ビデオ・ブロードキャスト−ハンドヘルド（ＤＶＢ−Ｈ）ネットワークである、請求項１に記載の方法。
【請求項５】
前記ネットワークにわたって前記ＥＳＧを送信するステップを更に備えた、請求項１に記載の方法。
【請求項６】
（ａ）プレビューのためにコンテンツアイテムの１つ以上の部分を指定するステップと、
（ｂ）前記１つ以上の指定の部分に関する情報を有する電子サービスガイド(ESG)を発生するステップと、
（ｃ）前記コンテンツアイテムを暗号化形態でネットワークにわたり送信するステップと、
（ｄ）前記コンテンツアイテムの対応部分を各々解読するための複数のコンテンツキーを暗号化形態でネットワークにわたり送信するステップと、
（ｅ）前記コンテンツアイテムの前記１つ以上の指定の部分に対応する複数のコンテンツキーの１つ以上を平文形態でネットワークにわたり送信するステップと、
を備えた方法。
【請求項７】
前記ステップ（ａ）は、時間間隔を指定することを含む、請求項６に記載の方法。
【請求項８】
前記指定の時間間隔は、周期的に発生する、請求項７に記載の方法。
【請求項９】
前記ネットワークは、デジタル・ビデオ・ブロードキャスト−ハンドヘルド（ＤＶＢ−Ｈ）ネットワークである、請求項６に記載の方法。
【請求項１０】
前記ネットワークにわたって前記ＥＳＧを送信するステップを更に備えた、請求項６に記載の方法。
【請求項１１】
（ａ）コンテンツアイテムを暗号化形態でネットワークにわたり送信するステップと、
（ｂ）前記コンテンツアイテムの対応部分を各々解読するための複数のコンテンツキーを第１の暗号化形態でネットワークにわたって送信するステップと、
（ｃ）前記複数のコンテンツキーの１つ以上を第２の暗号化形態でネットワークにわたって送信するステップと、
（ｄ）前記第１の暗号化形態における前記複数のコンテンツキーを解読するための加入者権利キーをネットワークにわたって送信するステップと、
（ｅ）前記第２の暗号化形態における１つ以上のコンテンツキーを解読するためのプレビュー権利キーをネットワークにわたって送信するステップと、
を備えた方法。
【請求項１２】
プレビューのためにコンテンツアイテムの１つ以上の部分を指定するステップを更に備え、前記第２の暗号化形態における前記１つ以上のコンテンツキーは、前記コンテンツアイテムの１つ以上の指定の部分に対応する、請求項１１に記載の方法。
【請求項１３】
前記ステップ（ａ）は、時間間隔を指定することを含む、請求項１２に記載の方法。
【請求項１４】
前記指定の時間間隔は、周期的に発生する、請求項１３に記載の方法。
【請求項１５】
前記ネットワークは、デジタル・ビデオ・ブロードキャスト−ハンドヘルド（ＤＶＢ−Ｈ）ネットワークである、請求項１１に記載の方法。
【請求項１６】
前記ネットワークにわたって前記ＥＳＧを送信するステップを更に備えた、請求項１１に記載の方法。
【請求項１７】
プレビュー権利キーに使用制限を課する１つ以上のプレビュールールをネットワークにわたって送信するステップを更に備えた、請求項１１に記載の方法。
【請求項１８】
プレビューのためにコンテンツアイテムの１つ以上の部分を指定する手段と、
前記１つ以上の指定の部分に関する情報を有する電子サービスガイド(ESG)を発生する手段と、
前記１つ以上の指定の部分を平文形態でネットワークにわたって送信する手段と、
前記コンテンツアイテムの残りの部分を暗号化形態でネットワークにわたって送信する手段と、
を備えたシステム。
【請求項１９】
プレビューのためにコンテンツアイテムの１つ以上の部分を指定する手段と、
前記１つ以上の指定の部分に関する情報を有する電子サービスガイド(ESG)を発生する手段と、
前記コンテンツアイテムを暗号化形態でネットワークにわたって送信する手段と、
前記コンテンツアイテムの対応部分を各々解読するための複数のコンテンツキーを暗号化形態でネットワークにわたって送信する手段と、
前記コンテンツアイテムの前記１つ以上の指定の部分に対応する複数のコンテンツキーの１つ以上を平文形態でネットワークにわたって送信する手段と、
を備えたシステム。
【請求項２０】
コンテンツアイテムを暗号化形態でネットワークにわたって送信する手段と、
前記コンテンツアイテムの対応部分を各々解読するための複数のコンテンツキーを第１の暗号化形態でネットワークにわたって送信する手段と、
前記複数のコンテンツキーの１つ以上を第２の暗号化形態でネットワークにわたって送信する手段と、
前記第１の暗号化形態における前記複数のコンテンツキーを解読するための加入者権利キーをネットワークにわたって送信する手段と、
前記第２の暗号化形態における１つ以上のコンテンツキーを解読するためのプレビュー権利キーをネットワークにわたって送信する手段と、
を備えたシステム。
【請求項２１】
プレビューのために指定されるコンテンツアイテムの１つ以上の部分に関する情報を有する電子サービスガイド(ESG)を受信する手段と、
前記コンテンツアイテムの１つ以上の指定の部分を平文形態で受信する手段と、
前記コンテンツアイテムの残りの部分を暗号化形態で受信する手段と、
を備えたターミナル装置。
【請求項２２】
プレビューのために指定されるコンテンツアイテムの１つ以上の部分に関する情報を有する電子サービスガイド(ESG)を受信する手段と、
前記コンテンツアイテムを暗号化形態で受信する手段と、
前記コンテンツアイテムの１つ以上の指定の部分に対応する１つ以上のコンテンツキーを平文形態で受信する手段と、
を備えたターミナル装置。
【請求項２３】
１つ以上のコンテンツキーを受信する前記手段は、セルラー通信ネットワークにわたり通信するように構成されたトランシーバを備えた、請求項２２に記載のターミナル装置。
【請求項２４】
１つ以上のコンテンツキーを受信する前記手段は、ショートレンジのワイヤレス通信ネットワークにわたり通信するように構成されたトランシーバを備えた、請求項２２に記載のターミナル装置。
【請求項２５】
コンテンツアイテムを暗号化形態で受信する手段と、
前記コンテンツアイテムの対応部分を各々解読するための複数のコンテンツキーを暗号化形態で受信する手段と、
第２の暗号化形態における１つ以上のコンテンツキーを解読するためのプレビュー権利キーをネットワークにわたり受信する手段と、
を備えたターミナル装置。
【請求項２６】
プレビュー権利キーを受信する前記手段は、セルラー通信ネットワークにわたり通信するように構成されたトランシーバを備えた、請求項２５に記載のターミナル装置。
【請求項２７】
プレビュー権利キーを受信する前記手段は、ショートレンジのワイヤレス通信ネットワークにわたって通信するように構成されたトランシーバを備えた、請求項２５に記載のターミナル装置。
【請求項２８】
プレビューのために指定されるコンテンツアイテムの１つ以上の部分に関する情報を有する電子サービスガイド(ESG)を与えるように構成された第１サーバーと、
前記コンテンツアイテムの１つ以上の指定の部分を平文形態で与え、そして前記コンテンツアイテムの残りの部分を暗号化形態で与えるように構成された第２サーバーと、
を備えたシステム。
【請求項２９】
プレビューのために指定されるコンテンツアイテムの１つ以上の部分に関する情報を有する電子サービスガイド(ESG)を与えるように構成された第１サーバーと、
前記コンテンツアイテムを暗号化形態で与えるように構成された第２サーバーと、
１つ以上のコンテンツキーを平文形態で与えると共に、１つ以上のキーを暗号化形態で与えるように構成された第３サーバーと、
を備え、平文形態における前記１つ以上のコンテンツキーは、前記コンテンツアイテムの１つ以上の指定の部分を解読するものであり、そして前記暗号化形態における前記１つ以上のコンテンツキーは、前記コンテンツアイテムの残りの部分を解読するものである、システム。
【発明の詳細な説明】
【技術分野】
【０００１】
本発明は、ワイヤレス通信に係る。より詳細には、本発明は、有料送信のプレビュー（予告編）を配信する技術に係る。
この国際出願は、参考としてここに全内容を援用する２００４年９月１５日に出願された“Preview of Payable Broadcasts”と題する米国特許出願第１０／９４０，６３１号の優先権を請求する。
【背景技術】
【０００２】
デジタル放送システムでは、テレビ番組のようなストリーミングコンテンツが暗号化形態で消費者に送信される。このコンテンツを見るために、消費者は、それを行なうための権利を購入しなければならない。支払をする消費者は、その見返りに、受信時にコンテンツを解読するための１つ以上のキーを受け取る。
【０００３】
このようなシステムは、例えば、あるテレビ番組を暗号化形態で放送して、有料で視聴することのできるダイレクト・ビデオ・ブロードキャスト（ＤＶＢ）システム、例えば、ＤＶＢ−Ｔ及びＤＶＢ−Ｃネットワークを含む。この暗号／解読解決策を説明するために、条件付きアクセス（ＣＡ）という語がしばしば使用される。この解決策は、通常、消費者の家屋にあるセットトップボックス（ＳＴＢ）に、売主特有のＣＡモジュールを装備することを含む。このＣＡモジュールは、キーを記憶していて、解読プロセスを遂行する。
【０００４】
ＩＰデータキャスト（ＩＰＤＣ）・オーバー・ＤＶＢ−Ｈ（即ち、デジタル・ビデオ・ブロードキャスト・対・ハンドヘルド装置）ネットワークは、ＤＶＢトランスポートシステムにわたりインターネットプロトコル（ＩＰ）送信を使用して種々の形式のコンテンツの放送を与えるための新規なシステムである。このＤＶＢ−Ｈネットワークは、固定の合計容量を有する。チャンネルの厳密な容量は、使用する変調パラメータに依存する。ＤＶＢ−Ｈの場合に、容量は、通常、移動及び屋内受信について５ないし１５メガビット／秒（Ｍｂｐｓ）である。ＤＶＢ−Ｈでは、この合計帯域幅は、移動及びハンドオーバーを促進するためにスタティックビットレートを各々有する多数のタイムスライスチャンネルに分割される。
【０００５】
ストリーミングコンテンツのプロバイダー（例えば、テレビ番組の放送局）は、しばしば、潜在的な消費者にコンテンツのプレビューを供給することを望む。従って、テレビ番組全体は、有料でしか視聴できないが、番組の短いプレビューは、無料で見ることができる。
【発明の開示】
【発明が解決しようとする課題】
【０００６】
このようなコンテンツストリームは、通常、暗号化されて放送されるので、このようなプレビューを提供することは、技術的な挑戦である。現在の技術的挑戦は、必要な放送帯域幅を二重にせずに非暗号化（即ち平文）コンテンツストリームを放送し、そしてプレビューを短い時間周期に制限しながら、プレビューの時間を自由に選び出す機会を消費者に与えることを含む。
【課題を解決するための手段】
【０００７】
本発明は、コンテンツのプレビューを配信する技術を提供する。従って、本発明の１つの態様において、システム及び方法は、プレビューのためにコンテンツアイテムの１つ以上の部分を指定し、その１つ以上の指定の部分に関する情報を有する電子サービスガイド（ＥＳＧ）を発生し、その１つ以上の指定の部分を平文形態でネットワークにわたって送信し、そしてコンテンツアイテムの残りの部分を暗号化形態でネットワークにわたって送信する。
【０００８】
本発明の更に別の態様において、方法及びシステムは、プレビューのためにコンテンツアイテムの１つ以上の部分を指定し、その１つ以上の指定の部分に関する情報を有する電子サービスガイド（ＥＳＧ）を発生し、コンテンツアイテムを暗号化形態でネットワークにわたって送信し、コンテンツアイテムの対応部分を各々解読するための複数のコンテンツキーを暗号化形態でネットワークにわたって送信し、そしてコンテンツアイテムの前記１つ以上の指定の部分に対応する複数のコンテンツキーの１つ以上を平文形態でネットワークにわたって送信する。
【０００９】
本発明の更に別の態様において、方法及びシステムは、コンテンツアイテムを暗号化形態でネットワークにわたって送信し、コンテンツアイテムの対応部分を各々解読するための複数のコンテンツキーを第１の暗号化形態でネットワークにわたって送信し、複数のコンテンツキーの１つ以上を第２の暗号化形態でネットワークにわたって送信し、第１の暗号化形態における複数のコンテンツキーを解読するための加入者権利キーをネットワークにわたって送信し、そして第２の暗号化形態における１つ以上のコンテンツキーを解読するためのプレビュー権利キーをネットワークにわたって送信する。
【００１０】
又、本発明は、ターミナル装置も提供する。１つのこのようなターミナル装置は、プレビューのために指定されるコンテンツアイテムの１つ以上の部分に関する情報を有する電子サービスガイド（ＥＳＧ)を受信するための手段と、コンテンツアイテムの１つ以上の指定の部分を平文形態で受信するための手段と、コンテンツアイテムの残りの部分を暗号化形態で受信するための手段とを備えている。
【００１１】
更に別のターミナル装置は、プレビューのために指定されるコンテンツアイテムの１つ以上の部分に関する情報を有する電子サービスガイド（ＥＳＧ)を受信するための手段と、コンテンツアイテムを暗号化形態で受信するための手段と、コンテンツアイテムの１つ以上の指定の部分に対応する１つ以上のコンテンツキーを平文形態で受信するための手段とを備えている。
【００１２】
更に別のターミナル装置は、コンテンツアイテムを暗号化形態で受信するための手段と、コンテンツアイテムの対応部分を各々解読するための複数のコンテンツキーを暗号化形態で受信するための手段と、第２の暗号化形態における１つ以上のコンテンツキーを解読するためのプレビュー権利キーをネットワークにわたりを受信するための手段とを備えている。
【００１３】
又、本発明は、多数のサーバーを有するシステムも提供する。２つのサーバーを含む１つのこのようなシステムにおいて、第１サーバーは、プレビューのために指定されるコンテンツアイテムの１つ以上の部分に関する情報を有する電子サービスガイド（ＥＳＧ)を与える。第２サーバーは、コンテンツアイテムの１つ以上の指定の部分を平文形態で与え、そしてコンテンツアイテムの残りの部分を暗号化形態で与える。
【００１４】
別のシステムは、３つのサーバーを備えている。このシステムにおいて、第１サーバーは、プレビューのために指定されるコンテンツアイテムの１つ以上の部分に関する情報を有する電子サービスガイド（ＥＳＧ)を与える。第２サーバーは、コンテンツアイテムを暗号化形態で与える。第３サーバーは、１つ以上のコンテンツキーを平文形態で与えると共に、１つ以上のキーを暗号化形態で与える。平文形態の１つ以上のコンテンツキーは、コンテンツアイテムの１つ以上の指定の部分を解読するものであり、そして暗号化形態の１つ以上のコンテンツキーは、コンテンツアイテムの残りの部分を解読するものである。
【００１５】
本発明は、通信リソース及び帯域幅を効率的に利用するやり方でコンテンツプレビューの配信を効果的に提供する。本発明の更に別の特徴及び効果は、添付図面を参照した以下の詳細な説明から明らかとなろう。
【００１６】
添付図面において、同一の要素、機能的に同様の要素、及び／又は構造的に同様の要素は、同じ参照番号で一般的に示す。参照番号における最も左の桁（１つ又は複数）は、その要素が最初に現れる図面を表わす。以下、添付図面を参照して、本発明を説明する。
【発明を実施するための最良の形態】
【００１７】
Ｉ．動作環境
図１は、本発明を利用することのできる放送環境を示す図である。この環境は、多数のパケットベースのネットワーク１０２及び放送ネットワーク１０４を含む。
【００１８】
パケットベースのネットワーク１０２は、種々のプロトコルを介して、インターネットプロトコル（ＩＰ）パケットのようなパケットの交換により通信を遂行する。従って、ネットワーク１０２は、種々の形式のものでよい。例えば、図１に示す環境は、インターネットであるパケットベースのネットワーク１０２ａと、ローカルエリアネットワーク（イーサネット（登録商標）のような）であるパケットベースのネットワーク１０２ｂとを備えている。
【００１９】
放送ネットワーク１０４は、放送送信媒体を経てポイント対マルチポイント型の通信を与える。各放送ネットワークは、種々のワイヤード又はワイヤレス技術を使用することができる。例えば、図１は、放送ネットワーク１０４をＤＶＢ−Ｈネットワークとして示している。しかしながら、放送ネットワーク１０４は、ＤＶＢ−Ｔネットワーク、ケーブルネットワーク、例えば、データ・オーバー・ケーブル・サービス・インターフェイス仕様（ＤＯＣＳＩＳ）ネットワーク、等でよい。
【００２０】
図１の環境は、１つ以上のパケットベースのネットワーク１０２に結合された複数のマルチメディアストリーミングサービス（Ｍ−ＳＲＶ）１０６を備えている。サーバー１０６は、オーディオ、ビデオ、及び／又はテキストのようなコンテンツを含むマルチメディアストリームを発生する。例えば、特定のサーバー１０６は、複数のオーディオチャンネルを経て複数のオーディオストリームを与えることができる。更に、このサーバーは、対応するオーディオストリームと同期されたビデオストリーム及び／又はテキストストリームを与えることもできる。
【００２１】
更に、図１の環境は、電子サービスガイド（ＥＳＧ）サーバー（ＥＳＧ−ＳＲＶ）１０８を備え、これは、ネットワーク１０４内のターミナルにＥＳＧ情報を与える。ＥＳＧとは、「番組」、セッション、サービス、及び放送サービスにより提供される他の情報を記述するのに使用されるメタデータのセットである。ＥＳＧは、例えば、番組、サービス、コスト、等に関する情報を装置ユーザに与える。又、ＥＳＧは、装置がサービスを受けられるようにする情報を装置に与える。
【００２２】
又、図１は、ターミナル装置に権利オブジェクト(rights objects)を与える権利オブジェクトサーバー（ＲＯ−ＳＲＶ）１１０も備えている。これらの権利オブジェクトは、コンテンツキーの解読を許すキーのような情報（ここでは、権利キーと称する）含む。コンテンツキーのこの解読は、Ｍ−ＳＲＶ１０６のようなソースからのマルチメディアコンテンツストリームのようなコンテンツアイテムの消費を与える。権利キーに加えて、権利オブジェクトは、権利キーをどのように使用するか指定するルールも含むことができる。ここに述べるように、異なる形式の権利オブジェクト（例えば、プレビューＲＯ又は加入者ＲＯ）をターミナル装置へ配送することができる。
【００２３】
サーバー１０６の各々は、パケットベースネットワーク１０２にわたって１つ以上の行先へそれらのストリームを配布することができる。このような配布は、ＩＰマルチキャスティングプロトコルを含むことができる。特定のサーバーにより発生される全てのストリームの合成ビットレートは、通常、時間と共に変化する。種々の実施形態において、これらの変化は、ほぼ安定した平均である。
【００２４】
図１は、１つ以上のパケットベースネットワーク１０２に各々結合された複数のＩＰエンキャプスレータ（ＩＰＥ）１１０を示している。ＩＰＥ１１０は、サーバーにより発生されたパケットストリームを受け取り、そしてパケットベースネットワーク１０２と放送ネットワーク１０４との間のゲートウェイとして動作する。より詳細には、ＩＰＥ１１０は、受信したパケットストリームを、放送ネットワークトランスポートストリーム（例えば、ＤＶＢ−Ｈトランスポートストリーム）へと変換する。
【００２５】
放送ネットワーク１０４に対して、図１は、マルチプレクサ（ＭＵＸ）１１２、変調器（ＭＯＤ）１１４、及び送信器（ＴＸ）１１６を示す。ＭＵＸ１１２は、各ＩＰＥ１１０に結合され、一方、ＭＯＤ１１４は、ＭＵＸ１１２とＴＸ１１６との間に結合される。
【００２６】
ＭＵＸ１１２は、１つ以上の異なるソース（異なるＩＰＥ１１０のような）からのトランスポートストリームを単一の送信ストリームへと合成する。この単一ストリームは、ＭＯＤ１１４へ送信され、これは、送信ストリームを、デジタル表示から高周波（ＲＦ）信号へと変換する。ＴＸ１１６は、ＲＦ信号を増幅し、そしてその信号を、アンテナ１１７を経て放送ネットワーク１０４内の装置へ送信（又は放送）する。
【００２７】
図１に示すように、放送ネットワーク１０４は、ここでターミナル装置とも称される１つ以上の受信器（ＲＸ）１２０を備えている。これらの装置は、ＴＸ１１６により送信された信号を受信して処理する。これは、装置が、ＲＦ信号により搬送されるサービス（例えば、ストリーム）をそのエンドユーザに提示するのを許す。装置１２０は、ポータブルハンドヘルド装置（例えば、ワイヤレス電話及びＰＤＡ）、テレビジョン、セットトップボックス、及びパーソナルコンピュータを含んでもよい。
【００２８】
更に、図１は、ワイヤレスネットワーク１２２も示している。このネットワークは、例えば、セルラー通信ネットワーク、又はショートレンジワイヤレス通信ネットワークでよい。ショートレンジ通信ネットワークは、例えば、ブルーツース、ワイヤレスローカルエリアネットワーク（ＷＬＡＮ）、及び高周波識別（ＲＦＩＤ）ネットワークを含む。図１に示すように、種々のサーバーは、ネットワーク１２２を経てターミナル装置に情報を与えることができる。このような情報は、例えば、ＲＯ−ＳＲＶ１１０からの権利オブジェクト及び／又は権利キーと、ＥＳＧ−ＳＲＶ１０８からのＥＳＧとを含む。
【００２９】
本発明は、ＩＰデータキャスト（ＩＰＤＣ）システム・オーバー・ＤＶＢ−Ｈ（即ち、デジタル・ビデオ・ブロードキャスト・対・ハンドヘルド装置）に利用することができる。しかしながら、本発明の範囲は、他のシステムも網羅する。
【００３０】
図２は、ＤＶＢ−Ｈネットワークのような放送システムに使用できるタイムスライス技術を示す図である。図２に示すように、複数のタイムスロット２０２が次々に存在する。ストリーミングビデオ番組（例えば、アイスホッケーゲーム）のようなサービスがこれらタイムスロット中に送信される。より詳細には、図２は、タイムスロット２０２1にサービス開始ストリームをそしてタイムスロット２０２9にサービス終了ストリームを示す。
【００３１】
サービスストリームは、タイムスライス技術に基づいて送信される。即ち、サービスストリームは、タイムスロット２０２の特定の部分に発生するバースト送信（即ちパケット）２０４へと分断される。これら特定の部分を、タイムスライスと称する。より詳細には、図２は、スロット２０２1−２０２8の特定のタイムスロット内に各々発生するバースト２０４1−２０４8を示している。
【００３２】
実施形態において、各バースト２０４は、固定の時間幅を有する。又、連続するバースト２０４は、固定の間隔により時間的に分離される。しかしながら、別の実施形態では、バーストの時間幅及び／又はバーストとバーストとの間の間隔が変化してもよい。このような変化に関する情報は、これらバースト内で信号され、これらバーストをターミナル装置により受信することができる。
【００３３】
上述したように、バースト２０４は、１つ以上のターミナル装置により受信される。受信の際に、各装置は、これらのバーストをバッファしそして処理する（例えば、デコード、エラー修正、等）。その結果、ビデオ及び／又はオーディオのようなコンテンツが装置ユーザによる消費についてレンダリングされる。
【００３４】
タイムスライスにはアドレスを割り当てることができる。例えば、個々のタイムスライスには、１つ以上のインターネットプロトコル（ＩＰ）アドレスを割り当てることができる。
【００３５】
II．配布の協定及び表記
上述したように、本発明の態様は、コンテンツストリームの送信を含む。コンテンツ番組は、２つ以上のストリームを含むことができる。例えば、テレビ番組は、オーディオ及びビデオの個別のストリームを含んでもよい。このようなストリームの実施例を以下に説明する。
【００３６】
ＳがＩＰパケットのストリームを表わすとする。このストリームは、部分的に送信（例えば、放送）される。それらの部分は、ここでは、バッチと称される。各々のバッチは、一連のコンテンツキーからの対応キーで暗号化される。ここでは、これら個々のコンテンツキーを表わすのにインデックスｉが使用される。従って、これらバッチを暗号化するのに使用されるコンテンツキーは、ここでは、ＣＫｉ（例えば、ＣＫ１、ＣＫ２、等）と称される。
【００３７】
暗号化されたコンテンツストリームバッチは、ここでは、ＣＫｉ（Ｓ）（例えば、ＣＫ１（Ｓ）、ＣＫ２（Ｓ）、等）と称される。それ故、特定のストリームに対するコンテンツキーは、通常、対応する番組の時間幅全体にわたって変化する。
【００３８】
ストリームＳを解読して、それに対応するコンテンツをユーザに提示するために、ターミナルは、コンテンツキーを得なければならない。これらのコンテンツキーは、暗号化フォーマットでターミナルへ送信することができる。例えば、コンテンツキーは、権利キーＲＫにより暗号化されて、ターミナルへ送信（例えば、放送）されてもよい。
【００３９】
権利キーは、コンテンツキーより低い頻度で変化する（もしあっても）。実際に、権利キーは、多数の番組及びチャンネルに対して共通でよい。従って、コンテンツストリームＳに対して、ターミナルは、暗号化されたコンテンツのストリームと、暗号化されたコンテンツキーのストリームとを受信する。ある範囲のインデックス値ｉに対して、暗号化されたコンテンツのストリームは、ここでは、ＣＫｉ（Ｓ）で表わされ、そして暗号化されたコンテンツキーのストリームは、ここでは、ＲＫ（ＣＫｉ）で表わされる。
【００４０】
それ故、この構成によれば、ターミナルは、権利キーＲＫを得、コンテンツキーＣＫｉを解読し、次いで、コンテンツストリームＳを解読することが必要である。
【００４１】
III．ＥＳＧにより整合される平文及び暗号化ストリーミング
上述したように、本発明は、コンテンツを平文形態及び通常の暗号化形態の両方で同時に送信せずに、番組プレビューを配信するための種々の解決策を提供する。これらの解決策の１つは、単一の番組（又は一般的にストリーミングコンテンツチャンネル）中に平文放送と暗号化放送との間を切り換えることを含む。
【００４２】
例えば、１つ以上の所定の時間間隔（例えば、各ファイルの最初の５分又は各番組の最初の５分）を、プレビュー周期として指定することができる。
【００４３】
このような指定に基づき、特定のコンテンツに対応する指定のプレビュー周期を消費者（例えば、ターミナルユーザ）に自動的に通知するＥＳＧを発生することができる。このようなＥＳＧは、特定のコンテンツを購入していない消費者に向けることができる。これらの消費者は、ここでは、プレビューアと称される。
【００４４】
これに対して、コンテンツを視聴する権利を購入している消費者（ここでは、加入者と称される）は、コンテンツを完全に消費（例えば、視聴）することができる。従って、ＥＳＧにおけるこの情報に基づいて、加入者ターミナルは、コンテンツの平文プレビュー部分をデコードすることと、残りの暗号化部分をデコードすることとの間を継ぎ目なく切り換えることができる。
【００４５】
この解決策の態様に基づき、１つ以上のプレビューチャンネルを設けることができる。これらのチャンネルは、異なるチャンネルのプレビュー周期を連続的な「チャンネルホッピング」プレビュー番組へと合成する。このプレビューチャンネルは、ＥＳＧにおいて広告することができる。
【００４６】
例えば、放送局が６つの有料チャンネルを消費者に供給すると仮定する。各３０分の間に、各チャンネルは、５分の固定プレビュー周期を、異なる回数、有する。次いで、ＥＳＧは、異なるチャンネルのプレビュー周期を連続的な番組へと合成するプレビューチャンネルを記述し（本来のチャンネルに加えて）、ここで、本来のチャンネルは、５分の間隔で変化する。
【００４７】
図３は、この解決策の一例を示す図である。より詳細には、図３は、時間軸３００に沿った複数のチャンネルにわたる送信を示している。これらのチャンネルは、コンテンツチャンネル３０２、権利キー（ＲＫ）チャンネル３０４、及びＥＳＧチャンネル３０６を含む。
【００４８】
番組又はファイルのようなコンテンツは、コンテンツチャンネル３０２にわたって転送される。権利キーで暗号化されたコンテンツキーは、コンテンツチャンネル３０４にわたって転送される。ＥＳＧチャンネル３０６は、指定のプレビュー周期及びそれに対応するチャンネルのようなガイド情報を搬送する。
【００４９】
時間軸３００に沿って多数の時間間隔３１０が存在する。間隔３１０ａは、プレビュー間隔と指定される。従って、この間隔中に、コンテンツＳが平文形態で送信され、プレビューアがコンテンツを得ることができる。更に、加入者は、前述の解読によりこのコンテンツを得ることができる。しかしながら、図３は、間隔３１０ｂ−ｄの間にコンテンツＳがコンテンツキーＣＫｉにより暗号化されることを示している。それ故、これらのコンテンツキーを有する加入者のみがこれらの間隔中にコンテンツを得ることができる。
【００５０】
図４は、本発明の態様による動作を示すフローチャートである。この動作は、コンテンツサーバー及びＥＳＧサーバーのような１つ以上のサーバーにより遂行できる。
【００５１】
図４に示すように、図４の動作は、プレビューのためにコンテンツアイテムの１つ以上の部分が指定されるステップ４０２を含む。次いで、ステップ４０４において、１つ以上の指定の部分に関する情報を有するＥＳＧが発生される。又、このＥＳＧは、記述テキスト及びチャンネル情報のようなコンテンツアイテムに関する他の情報を含むこともできる。この実施形態では、このチャンネル情報は、ネットワークアドレス及びポート情報を含んでもよい。
【００５２】
ステップ４０６において、ＥＳＧが１つ以上のネットワークにわたって送信される。図１を参照すれば、このネットワークは、ＤＶＢ−Ｈネットワーク１０４でよい。図４に示すように、ステップ４０８において、１つ以上の指定の部分が平文（即ち、非暗号化）形態で送信される。しかしながら、ステップ４１０において、コンテンツアイテムの残りの部分が暗号化形態で送信される。従って、プレビューアは、平文形態で送信された部分を消費するが、加入者だけは、暗号化形態で送信された部分を消費できる。
【００５３】
IV．パラレルに放送される平文及び暗号化コンテンツキー
本発明の別の解決策は、平文コンテンツキーＣＫｉを、暗号化されたコンテンツキーＲＫ（ＣＫｉ）とパラレルに送信することを含む。従って、コンテンツＳは、常に、コンテンツキーＣＫｉ（Ｓ）で暗号化されて送信される。しかしながら、１つ以上の所定のプレビュー時間間隔に対して、コンテンツキーは、２つの異なる形態で送信され、即ち加入者の場合には権利キー（即ち、ＲＫ（ＣＫｉ））で暗号化されて送信され、そしてプレビューアの場合には平文（即ちＣＫｉ）で送信される。これらの所定間隔以外の時間については、平文コンテンツキーＣＫｉが送信されない。それ故、これらの時間に、コンテンツを持続的に得ることができるのは加入者だけである。
【００５４】
所定の時間間隔は、例えば、コンテンツ送信の開始を含むが、特定のコンテンツキーＣＫｉに対応するコンテンツ部分までである。
【００５５】
この解決策の態様によれば、１つ以上のプレビューチャンネルを設けることができる。これらのチャンネルは、異なるコンテンツチャンネルのプレビュー周期を連続的な「チャンネルホッピング」プレビュー番組へと合成する。このプレビューチャンネルは、ＥＳＧにおいて広告することができる。
【００５６】
例えば、放送局が６つの有料チャンネルを消費者に供給すると仮定する。各３０分の間に、各チャンネルは、５分の固定プレビュー周期を、異なる回数、有する。次いで、ＥＳＧは、異なるチャンネルのプレビュー周期を連続的な番組へと合成するプレビューチャンネルを記述し（本来のチャンネルに加えて）、ここで、本来のチャンネルは、５分の間隔で変化する。
【００５７】
図５は、この解決策の一例を示す図である。より詳細には、図５は、時間軸５００に沿った複数のチャンネルにわたる送信を示している。これらのチャンネルは、コンテンツチャンネル５０２、コンテンツキー（ＣＫ）チャンネル５０４、権利キー（ＲＫ）チャンネル５０６、及びＥＳＧチャンネル５０８を含む。
【００５８】
図５に示すように、時間軸５００に沿って多数の時間間隔５１０が存在する。それらの中で、間隔５１０ａ、５１０ｂ及び５１０ｃにプレビュー間隔が指定される。しかしながら、間隔５１０ｄ（残りの間隔）は、加入者のみに指定される。従って、これらの指定のプレビュー間隔中に、コンテンツキーチャンネル５０４は、それに対応するコンテンツキーＣＫｉを搬送する。しかしながら、間隔５１０ｄの間には、コンテンツキーチャンネル５０４にわたってコンテンツキーが送信されない。
【００５９】
又、図５に示すように、全ての時間間隔５１０に対して、コンテンツキーは、権利キーチャンネル５０６にわたり暗号化形態で（権利キーＲＫで暗号化されて）送信される。加入者は、これらのキーを解読し、その結果、全ての時間間隔に対してチャンネル５０２にわたるコンテンツ送信を解読することができる。
【００６０】
図６は、本発明の態様による動作を示すフローチャートである。図４の動作と同様に、図６の動作は、コンテンツサーバー及びＥＳＧサーバーのような１つ以上のサーバーにより遂行することができる。
【００６１】
図６の動作は、プレビューのためにコンテンツアイテムの１つ以上の部分が指定されるステップ６０２を含む。次いで、ステップ６０４において、１つ以上の指定の部分に関する情報を有するＥＳＧが発生される。又、このＥＳＧは、記述テキスト及びチャンネル情報のようなコンテンツアイテムに関する他の情報を含むこともできる。この実施形態では、このチャンネル情報は、ネットワークアドレス及びポート情報を含んでもよい。
【００６２】
ステップ６０５において、ＥＳＧは、１つ以上のネットワークにわたり１つ以上の形態で送信される。これらのネットワークは、図１のＤＶＢ−Ｈネットワーク１０４のような放送ネットワークを含んでもよい。又、ステップ６０６において、コンテンツアイテムは、このネットワーク（１つ又は複数）にわたり暗号化形態で送信される。
【００６３】
図６に示すように、ステップ６０８において、複数のコンテンツキーが暗号化形態で送信される。これらコンテンツキーの各々は、コンテンツアイテムの対応部分を解読するためのものである。又、ステップ６１０において、これらコンテンツキーの１つ以上（ステップ６０８において暗号化形態で送信された）が平文形態で送信される。平文形態におけるこれらの１つ以上のコンテンツキーは、プレビューのために指定されたコンテンツアイテムの１つ以上の部分に対応する。従って、これらの平文キーで、プレビューアは、プレビューのために指定されたコンテンツアイテムの部分を解読することができる。
【００６４】
Ｖ．権利オブジェクトにおけるプレビュールール
権利オブジェクト（ＯＭＡ  ＤＲＭ  ＲＯのような）は、種々のルールを含むことができる。例えば、これらのルールは、対応する権利キーを、どの時間幅で、何回、使用できるか指定することができる。従って、本発明の解決策では、プレビューアに、プレビュールールを有するプレビューＲＯを供給することができる。これらのプレビュールールは、例えば、これらのＲＯと共に搬送される権利キーを使用して、毎回最大時間幅をもちながら、最大の回数、コンテンツを消費（例えば、視聴）できることを規定する。このようなルールは、例えば、一度に５分で１０回である。従って、このルールに基づく解決策は、自由に選択可能なプレビュー周期を与える。
【００６５】
この解決策を実施するための例示的技術は、コンテンツキーの２つの暗号化シーケンスを送信することを含む。これらコンテンツキーシーケンスの第１は、プレビュー権利キーＲＫｐで暗号化されて、ＲＫｐ（ＣＫｉ）で表わされる。ＲＫｐは、対応するプレビューＲＯにおいてプレビューアに配送されている。これらコンテンツキーシーケンスの第２は、加入者へ与えられる「通常」の権利キーＲＫである。コンテンツキーのこの暗号化シーケンスは、ここでは、ＲＫｓ（ＣＫｉ）で表わされる。従って、全体的な放送（１つのテレビチャンネルに対する）は、次の通りである。
【００６６】
図７Ａは、この解決策の一例を示す図である。より詳細には、図７Ａは、時間軸７００に沿った複数のチャンネルにわたる送信を示す。これらのチャンネルは、コンテンツチャンネル７０２、プレビュー権利キーチャンネル７０４、加入者権利キーチャンネル７０６、及びＥＳＧチャンネル７０８を備えている。
【００６７】
番組又はファイルのようなコンテンツは、コンテンツチャンネル７０２にわたり暗号化形態で転送される。図７Ａに示すように、複数の時間間隔７１０が存在する。これら時間間隔の各々の間に、送信されるコンテンツは、それに対応するコンテンツキーＣＫｉで暗号化される。これらのコンテンツキーは、チャンネル７０４及び７０６にわたって暗号化形態で送信される。例えば、チャンネル７０４にわたって送信されるコンテンツキーは、プレビュー権利キー（ＲＫｐ）で暗号化され、そしてチャンネル７０６にわたって送信されるコンテンツキーは、加入者権利キー（ＲＫｓ）で暗号化される。上述したように、プレビュー権利キーは、プレビューアがコンテンツをプレビューする仕方を支配する１つ以上の使用ルールを有するＲＯにおいてターミナル装置へ配送される。
【００６８】
或いは又、加入者に与えられる普通の一般的権利キーは、それらがプレビューキーとなるように制限することができる。これは、暗号番号（ＲＯに含まれる）がＲＫｓ及びＲＫｐの両方に対して同じであるが、「使用権利」がＲＫｓ及びＲＫｐに対して異なるために、コンテンツパッケージを一度暗号化するだけでよいことを意味する。更に、この解決策では、プレビューキーＲＫｐは、チャンネルに対して特有であり、スライディング時間ウインドウ内の複数のチャンネルにわたって適用することができない。
【００６９】
しかしながら、この実施形態では、プレビュー権利キーＲＫｐは、複数のチャンネル（例えば、複数のテレビチャンネル）に対して共通でよく、一方、加入者の権利キーＲＫｓは、チャンネル特有である。従って、この解決策に対する利益は、プレビュー権利キーＲＫｐが複数のチャンネルに対して共通でよいことである。更に別の実施形態では、各ＲＯは、複数のプレビュー権利キー（ＲＫｐ１、ＲＫｐ２、・・・ＲＫｐｎ）を含んでもよい。これは、異なるプレビュー権利キーを同じルールで支配するのを許す。
【００７０】
この解決策は、ターミナルがプレビュールールに従う限り、限定されたプレビューを与える。ＯＭＡ  ＤＲＭに関しては、この意味でターミナルが信頼できるものであると仮定する。しかしながら、この解決策のセキュリティを高めるために、プレビュー権利キーは、各番組の前半のような所定の時間間隔中にのみ送信されてもよい。この特徴の一例が図７Ｂに示されている。
【００７１】
図７Ｂは、チャンネル７０２−７０８にわたる送信を示す図である。これらの送信は、図７Ａの場合と同様である。しかしながら、図７Ｂでは、プレビュー権利キーチャンネル７０４にわたる送信は、時間間隔７１０ａ、７１０ｂ及び７１０ｃを含むプレビュー周期中しか生じない。
【００７２】
従って、この解決策は、プレビュー周期のキー安全性と自由選択性との間に融通性のあるトレードオフを与える。更に別の実施形態では、プレビューＲＯを「無効化」し（即ち、役に立たなくし）及び／又は新たなものと交換することもできる。従って、古いプレビュー権利キーは、単に中断し、新たなものが効力を発するのを許すことができる。このような変化は、加入者には影響しない。というのは、加入者は、加入者権利キーを有するからである。
【００７３】
図８は、本発明の態様に基づく動作を示すフローチャートである。図４及び６の動作と同様に、この動作は、例えば、コンテンツ及びＥＳＧサーバーにより行うことができる。
【００７４】
図８の動作は、コンテンツアイテムが暗号化形態で１つ以上のネットワークにわたり送信されるステップ８０２を含む。これら１つ以上のネットワークは、ＤＶＢ−Ｈネットワーク１０４のような放送ネットワークを含んでもよい。
【００７５】
ステップ８０４において、複数のコンテンツキーが第１の暗号化形態で送信される。これらキーの各々は、ステップ８０２において送信されたコンテンツアイテムの対応部分を解読するためのものである。ステップ８０６において、これらコンテンツキーの１つ以上が第２の暗号化形態で送信される。
【００７６】
図８の動作は、加入者権利キーが送信されるステップ８０８を含む。このキーは、第１の暗号化形態における複数のコンテンツキーを解読するためのものである。又、ステップ８１０において、第２の暗号化形態における１つ以上のコンテンツキーを解読するためのプレビュー権利キーが送信される。従って、プレビュー権利キーをプレビューアに使用できるようにすることにより、プレビュー時間の選択に融通性が与えられる。
【００７７】
VI．セキュアな送信
プレビューを与えるための上述した解決策は、コンテンツ及び種々のキーのような暗号化情報の送信を伴う。このような情報を送信するための実施例を以下に説明する。
【００７８】
前記解決策は、ＩＰｓｅｃＥＳＰのようなコンテンツ暗号化プロトコルを使用することができる。このプロトコルでは、コンテンツキー（ＣＫ）で暗号化されたコンテンツストリーム（Ｓ）の各パケットを、［ｓａｉｄ、ＣＫｓａｉｄ（Ｓ）］と抽象化することができ、ここで、ｓａｉｄは、セキュリティ関連性（ＳＡ）識別子を表わし、そしてＣＫｓａｉｄ（Ｓ）は、コンテンツキーＣＫｓａｉｄで暗号化されたコンテンツＳを表わす。
【００７９】
この実施形態では、ＣＫｓａｉｄは、［ｓａｉｄ、ＣＫｓａｉｄ］と抽象化できる情報を有するセキュリティ関連性（ＳＡ）においてターミナル内のＩＰｓｅｃスタックに与えられる。それ故、ターミナルのＩＰｓｅｃスタックは、コンテンツストリームのパケットが受け取られたときに、ｓａｉｄを自動的に使用して、適切なコンテンツキーでコンテンツＳを解読する。
【００８０】
コンテンツアイテムは、複数のストリームを含んでもよい。例えば、テレビ番組は、オーディオ及びビデオの個別のストリームを含んでもよい。例えば、テレビ番組は、ここでは、［Ｓ、Ｓ］＝［オーディオ、ビデオ］＝［Ａ、Ｖ］と表わされる。この実施形態では、このようなオーディオ及びビデオストリームは、同じＩＰアドレスであるが異なるポートに送信することができる。更に、異なる行先ＩＰアドレスを使用して、セキュリティ関連性（ＳＡｓ）がＩＰｓｅｃスタックレイヤの上で暗号化されたパケットとして送信される。ＩＰＤＣ実施形態では、次に高いＩＰアドレスを使用して、コンテンツと同じＩＰＤＣバーストにおいてＳＡｓが放送されてもよい。
【００８１】
このようなＳＡｓは、［ｓａｉｄ、ｒｋｉｄ、ＲＫｒｋｉｄ（ＣＫｓａｉｄ）］として抽象化できる情報を含む。この抽象化において、ｒｋｉｄは、平文における権利キー（ＲＫｒｋｉｄ）の識別子である。ＲＫｒｋｉｄ（ＣＫｓａｉｄ）は、ＲＫｒｋｉｄで暗号化されたコンテンツキーＣＫｓａｉｄである。コンテンツキーが平文で送信される解決策では、対応するＳＡｓが［ｓａｉｄ、“ｎｏｎｅ”、ＣＫｓａｉｄ］として送信される。ここに述べる例を参照すれば、ＣＫｓａｉｄは、ＣＫｉのインスタンス生成である。暗号化されたコンテンツキーを使用する解決策では、ターミナルは、ＲＫでＣＫｓａｉｄを解読し、次いで、ＳＡを計算する。
【００８２】
ターミナル装置は、オーディオストリームＡ及びビデオストリームＶのようなコンテンツストリームを解読するためにＳＡｓをそれらのＩＰｓｅｃスタックへ与えることができる。この実施形態では、ＳＡパケットは、ＩＰｓｅｃの上で暗号化することができる。これは、それらがＩＰｓｅｃスタックパースペクティブからの平文であり、ＤＲＭメカニズムにより解読されることを意味する。
【００８３】
ターミナルが権利キーＲＫを「知っている」ときには、暗号化されたコンテンツキーＲＫ（ＣＫｉ）からコンテンツキーＣＫｉを計算することができる。ターミナルは、権利キー（ＲＫｓ）を種々の仕方で得ることができる。上述したように、権利キーは、権利オブジェクト（ＲＯｓ）において種々のルールに沿って得ることができる。
【００８４】
ＯＭＡ  ＤＲＭ２．０のようなデジタル権利マネージメント（ＤＲＭ）システムは、このようなＲＯｓを配布するのに使用できる。このようなシステムは、ＲＯ購入チャンネルを含み、ｅコマーストランザクションを通してＲＯを得るのを許す。ターミナルは、ＤＲＭクライアントを含んでもよい。このクライアント内で（他にはどこもない）、ターミナルはＲＯｓを受信する。ＲＯｓは、権利キー識別子及びそれに対応する権利キー（［ｒｋｉｄ、ＲＫｒｋｉｄ］として表わされる）のような情報を含んでもよい。
【００８５】
ＤＲＭクライアントは、ＲＫｒｋｉｄを決して明らかにしない。しかしながら、ＳＡに対する暗号化データ（即ち、［．．．、ｒｋｉｄ、ＲＫｒｋｉｄ（ＣＫｓａｉｄ）］）が提示されると、ＤＲＭクライアントは、ｒｋｉｄに内部で一致させ、そしてＲＫｒｋｉｄを使用して、ＣＫｓａｉｄを解読する。次いで、ＤＲＭクライアントは、ＣＫｓａｉｄをターミナルの残部（例えば、ターミナルのソフトウェア）に入手できるようにする。
【００８６】
VII．送信例
図９−１１は、本発明の態様に基づくプレビューを含む送信の更に別の例を示す。これらの例において、コンテンツキーは、１５分の間隔で同時に変化する。例えば、図９は、時間軸９００に沿って配置されたこのような時間間隔９１０を示す。更に、図９は、サブチャンネル９０１、９０２及び９０３におけるチャンネルｃｈ１に関連した送信も示している。これらのサブチャンネルは、各々、ＩＰアドレス及びポートで指定される。しかしながら、他の指定技術を使用してもよい。
【００８７】
チャンネルｃｈ１の１時間（図９では、１２：００から１３：００の間として示される）の間に、ＩＰアドレス（例えば、１及び２）、及びポート（例えば、オーディオについては１、ビデオについては２、そしてコンテンツキーについては３）へ次のものが放送される。
【００８８】
従って、チャンネルｃｈ１は、そのオーディオストリームＡｃｈ１及びそのビデオストリームＶｃｈ１を平文で最初の１５分間に送信する。しかしながら、その後のオーディオ及びビデオ送信は、コンテンツキーで暗号化される。図９には、３つのこのようなコンテンツキー、ＣＫ２ｃｈ１、ＣＫ３ｃｈ１及びＣＫ４ｃｈ１が示されている。
【００８９】
最初の１５分が固定のプレビュー周期を構成することが消費者に通知される。これは、ＥＳＧを通して行うことができる。１２：００と１３：００との間のチャンネルｃｈ１（又はそのチャンネルの現在番組）を記述するＥＳＧの一例を、以下のテーブル１に示す。
2008512915.tif 000003
テーブル１
【００９０】
ＲＯを含むＲＫｃｈ１を有する加入者は、ＥＳＧからｃｈ１（又はその番組）を選択することができる。この選択は、所与のＩＰアドレス及びポートからオーディオ及びビデオを受信するようにターミナルに命令する。１２：００から１２：１５までに、ターミナルは、コンテンツキーを適用して、ｃｈ１送信を受信することをしない。しかしながら、１２：１５に、ターミナルは、サブチャンネル９０３からコンテンツキーも受け取るように自動的に切り換る。この自動的切り換えは、ＥＳＧにおいて受信される情報に基づく。
【００９１】
受信したコンテンツキーは、ターミナル内でＤＲＭクライアントにより解読され、そしてターミナルのＩＰｓｅｃスタックへ引き渡される。ＩＰｓｅｃスタックは、サブチャンネル９０１及び９０２のオーディオ及びビデオストリームを解読する。
【００９２】
その間に、プレビューアは、１２：００から１２：１５まで、チャンネルｃｈ１をプレビューすることができる。その時点で、プレビューアのターミナルは、ＲＫｃｈ１ｓ（ＣＫ２ｃｈ１）を解読するに必要なＲＫｃｈ１ｓを有していないことに気付く。これが生じたときには、ターミナルは、プレビューアがそのチャンネルに契約して視聴を続けることを示唆できる。
【００９３】
ここで、要約すれば、図９は、コンテンツストリームに無料のプレビューウインドウが存在するようにコンテンツ保護を定義するサーバー端の一例を示す。このプレビューウインドウ中に、加入者及びプレビューアは、両方とも、それらのターミナルにおいて、コンテンツを平易な非暗号化形態で受信する。
【００９４】
このプレビューウインドウが終わった後に、プレビューアは、もはやコンテンツを消費しない。しかしながら、加入者ターミナルは（ＥＳＧからの情報に基づき）コンテンツの暗号化部分の受信をスタートし、ターミナルにおいて使用可能な権利キーでそれを解読する。
【００９５】
図１０は、各個々のチャンネルを、各１時間に１５分間、異なる回数、視聴できるように、複数のチャンネルをプレビューできる実施例を示す。従って、これらチャンネルは、本来のチャンネルが１５分の間隔で変化するようなプレビューチャンネルを構成する。図１０は、時間軸１０００に沿って配置された１５分の時間間隔１０２０を示す。これらの間隔は、１２：００と１３：００との間に生じる。
【００９６】
図１０に示すように、チャンネルｃｈ２からｃｈ５の各々は、次のように３つのサブチャンネルを含む。即ち、チャンネルｃｈ２は、サブチャンネル１００１、１００２及び１００３を含み、チャンネルｃｈ３は、サブチャンネル１００４、１００５及び１００６を含み、チャンネルｃｈ４は、サブチャンネル１００７、１００８及び１００９を含み、そしてチャンネルｃｈ５は、サブチャンネル１０１０、１０１１及び１０１２を含む。これらのサブチャンネルは、ＩＰアドレス及びポートにより各々指定される。しかしながら、他の指定技術を使用してもよい。
【００９７】
図１０に示す各チャンネルに対して、コンテンツキーは、１５分のプレビュー周期中に平文で放送される。これらのプレビュー周期は、チャンネルｃｈ２については１２：００から１２：１５、チャンネルｃｈ３については１２：１５から１２：３０、チャンネルｃｈ４については１２：３０から１２：４５、そしてチャンネルｃｈ５については１２：４５から１３：００である。プレビューアは、そのプレビュー周期以外には、特定のチャンネルをプレビューすることができない。しかしながら、権利キーを保有する加入者は、それが可能である。
【００９８】
図１０のプレビュー特徴を記述するＥＳＧは、以下のテーブル２に示す情報を含むことができる。
2008512915.tif 000004
テーブル２
【００９９】
図１０及びテーブル２は、チャンネルｃｈ２からｃｈ５が、加入者に対して１時間の間に受信変化を必要としないことを示している。図１０に示すチャンネルプレビュー周期当たり１５分に加えて、テーブル２は、プレビューアに対する連続的なプレビューチャンネルを示している。このプレビューチャンネルは、１つのチャンネルの非暗号化コンテンツキーが時間切れとなり且つ他のチャンネルの非暗号化コンテンツキーが使用可能になったときに、１つのチャンネルのＩＰアドレスから別のチャンネルのＩＰアドレスへホッピングすることにより受信される。
【０１００】
従って、ターミナルへ放送されるテーブル２に示されたＥＳＧは、個別のチャンネルを経て各々放送される５つのＴＶサービスを記述する。ＤＶＢ−Ｈネットワークでは、これらの個別チャンネルは、異なるタイムスライスで送信することができる。更に、ＥＳＧは、物理的エンティティではなく論理的エンティティである「プレビューＴＶ」サービスを記述する。このため、このサービスは、それ自身の専用のチャンネル（例えば、専用のＤＶＢ−Ｈタイムスライス）をもたない。むしろ、このサービスは、５つの既存のチャンネルの各々からの抽出を与える。
【０１０１】
図１０Ｂは、プレビューアターミナルのＤＲＭクライアントが、プレビュー権利キーに関連したルールを有するＲＯを受信する送信機構を例示している。上述したように、ＤＲＭクライアントは、権利キー識別子及びそれに対応する権利キーを含むＳＡを受信することができる。或いは又、プレビューアターミナルは、［ｐ、ＲＫｐ、“５分で１０回”］と表わされた情報を含むＲＯを受信してもよい。この表記において、ｐは、プレビュー権利識別子であり、ＲＫｐは、それに対応するプレビュー権利キーであり、そして“５分で１０回”は、プレビュー権利キーに対する使用ルールである。従って、プレビュー権利キーＲＫｐは、１０回以下で且つ一度に５分以内で使用することができる。
【０１０２】
プレビューアは、要求時のようなポリシーに基づき、新たなプレビューＲＯが許可される。しかしながら、週当たり１回以下といった許可限界が課せられてもよい。このようなポリシーは、各プレビューＲＯにおける更に別の情報により施行することができる。
【０１０３】
図１０Ｂに示す送信機構は、図１０Ａの機構と同様である。しかしながら、図１０Ｂでは、上述した固定のプレビュー周期は、チャンネルｃｈ２、・・・ｃｈ５への放送アップグレードを通して自由に選択可能なプレビューオプションが補足される。より詳細には、プレビュー権利キーで解読できる暗号化コンテンツキーが送信される。これらの暗号化コンテンツキーが図１０ＢにＲＫｐ（ＣＫｉｃｈｎ）（例えば、ＲＫｐ（ＣＫ４ｃｈ５））として示されている。従って、ターミナルがプレビュールールにより制約された権利キーＲＫｐを使用できるようにするプレビューＲＯの保有者は、チャンネルｃｈ２及びｃｈ３についてはいつでも、チャンネルｃｈ４及びｃｈ５については前半の３０分だけ、自由に選択できるプレビュー周期をとることができる。
【０１０４】
VIII．ターミナル装置
図１１は、ターミナル装置１２０のようなターミナルに使用することのできるワイヤレス通信装置アーキテクチャーを示すブロック図である。このアーキテクチャーは、ホスト１１０２と、制御インターフェイス１１０４と、コントローラ１１０６と、セキュリティモジュール１１０７と、ＤＶＢ−Ｈ無線装置１１０８と、セルラー無線装置１１１０と、ショートレンジワイヤレス無線装置１１２４とを備えている。
【０１０５】
ホスト１１０２は、ユーザアプリケーション及び上位プロトコルレイヤを含むファンクションに対する役割を担う。このようなアプリケーション及びプロトコルレイヤは、例えば、ユーザに対してマルチメディアコンテンツ（テレビ放送のような）をレンダリングすることを含む。ホスト１１０２は、制御インターフェイス１１０４を横切ってコントローラ１１０６と情報を交換する。この情報は、ホスト１１０２から受信されたコマンドと、ホスト１１０２へ送信される情報とを含むことができる。制御インターフェイス１１０４は、この情報交換を行なう１組のメッセージを定義する。
【０１０６】
コントローラ１１０６は、リンク設定、セキュリティ及び制御に関するファンクションを遂行する。これらのファンクションは、１つ以上のプロトコル（例えば、ブルーツースリンクマネージャープロトコル）に基づいてリモート装置と通信することを含んでもよい。これらのファンクションを遂行するために、このようなプロトコルは、プロトコルデータユニット（ＰＤＵ）とも称されるメッセージを与える。コントローラ１１０６は、これらのＰＤＵを、リモート装置の対応コントローラと交換する。更に、コントローラ１１０６は、他のメッシュネットワークノードへ送信するためのデータをバッファし、そのスケジュールを立てる。
【０１０７】
図１１に示したように、コントローラ１１０６は、ＤＶＢ−Ｈ無線装置１１０８、セルラー無線装置１１１０、及びショートレンジワイヤレス無線装置１１２４に結合される。これらの無線装置は、下位レイヤ通信プロトコルに対する役割を担う。より詳細には、ＤＶＢ−Ｈ無線装置１１０８は、ＤＶＢ−Ｈネットワークにわたり放送された情報を受信する役割を果たし、そしてセルラー無線装置１１１０は、セルラーネットワークにわたりリモート装置と情報（例えば、電話、メッセージ、及びデータトラフィック）を交換する役割を果たす。ショートレンジワイヤレス無線装置１１２４は、ショートレンジネットワークにわたりリモート装置と情報を交換する役割を果たす。
【０１０８】
図１１に示すように、ＤＶＢ−Ｈ無線装置１１０８は、リンクコントローラ１１１２と、ＤＶＢ−Ｈ受信器１１１４と、アンテナ１１１６とを備えている。リンクコントローラ１１１２は、コントローラ１１０６とトランシーバ１１１４との間の仲介物として動作する。又、リンクコントローラ１１１２は、受信したＤＶＢ−Ｈ送信のための基本帯域処理、例えば、エラー修正デコードも遂行する。
【０１０９】
ＤＶＢ−Ｈ受信器１１１４は、アンテナ１１１６に結合される。受信器１１１４は、（アンテナ１１１６に関連した）図１１の装置アーキテクチャーが、リモート装置により送信されたワイヤレス放送ＤＶＢ−Ｈ信号を受信するのを許す電子装置を含む。このような電子装置は、変調器、復調器、増幅器及びフィルタを含む。
【０１１０】
図１１に示すように、セルラー無線装置１１１０は、リンクコントローラ１１１８と、セルラートランシーバ１１２０と、アンテナ１１２２とを備えている。リンクコントローラ１１１８は、コントローラ１１０６とセルラートランシーバ１１２０との間の仲介物として動作する。又、リンクコントローラ１１１８は、セルラー送信のための基本帯域処理も遂行する。このような処理は、エラー修正エンコード及びデコード動作、ＧＳＭ時分割多重アクセスフレームとの同期、及びパケットの形成を含むことができる。
【０１１１】
セルラートランシーバ１１２０は、アンテナ１１２２に結合される。セルラートランシーバ１１２０は、変調器、復調器、増幅器及びフィルタのような電子装置を含む。このような電子装置は、図１１の装置が、アンテナ１１２２に関連して、リモート装置とでワイヤレスセルラー信号を交換（即ち、送信及び受信）するのを許す。このような信号は、ＧＳＭのような種々のセルラー規格に基づくものでよい。
【０１１２】
ショートレンジワイヤレス無線装置１１２４は、１つ以上の形式のショートレンジネットワーク、例えば、ＩＥＥＥ８０２．１１ワイヤレスローカルエリアネットワーク（ＷＬＡＮ）及び／又はブルーツースネットワークにわたって通信を行なう。更に、ショートレンジワイヤレス無線装置１１２４は、高周波識別（ＲＦＩＤ）タグとの通信を行うことができる。図１１に示すように、ショートレンジワイヤレス無線装置１１２４は、リンクコントローラ１１２６と、ショートレンジトランシーバ１１２８と、アンテナ１１３０とを備えている。リンクコントローラ１１２６は、コントローラ１１０６とトランシーバ１１１４との間の仲介物として動作する。又、リンクコントローラ１１１２は、ショートレンジ通信のための基本帯域処理、例えば、エラー修正エンコード及びデコードも遂行する。
【０１１３】
ショートレンジトランシーバ１１２８は、アンテナ１１３０に結合される。トランシーバ１１１４は、（アンテナ１１１６に関連した）図１１の装置アーキテクチャーが、リモート装置により送信されたワイヤレス信号を交換するのを許す電子装置を含む。このような電子装置は、変調器、復調器、増幅器及びフィルタを含む。
【０１１４】
図１１に示すように、セキュリティモジュール１１０７は、コントローラ１１０６に結合される。セキュリティモジュール１１０７は、暗号化に関連した資料（即ち、情報）、例えば、キー、権利オブジェクト、及び／又は使用ルールを記憶することができる。この実施形態において、このような情報は、ターミナル装置の他の部分にアクセスできない。従って、セキュリティモジュール１１０７は、ＤＲＭ（例えば、ＯＭＡ  ＤＲＭ）クライアントのようなセキュアなモジュールでよい。セキュアなモジュール１１０７（例えば、ＯＭＡ  ＤＲＭ  ＲＯ）に含まれた情報は、種々の仕方で得ることができる。例えば、情報は、無線装置１１２０及びコントローラ１１０６によりセルラー又は移動電話ネットワークを経て配送することができる。或いは又、この情報は、ＷＬＡＮ及びブルーツースのようなショートレンジ通信技術を使用してリモート装置（例えば、キオスク及び／又はアクセスポイント）とのショートレンジ遭遇からダウンロードされてもよい。
【０１１５】
図１１のアーキテクチャーのような装置アーキテクチャーは、ハードウェア、ソフトウェア、ファームウェア、又はその組み合せで実施されてもよい。１つのこのような実施形態が図１２に示されている。この実施形態は、プロセッサ１２１０と、メモリ１２１２と、ユーザインターフェイス１２１４とを備えている。更に、図１２の実施形態は、ブルーツーストランシーバ１１１４と、アンテナ１１１６と、ＵＷＢトランシーバ１１２０と、アンテナ１１２２と、ショートレンジトランシーバ１１２８と、アンテナ１１３０とを備えている。これらのコンポーネントは、図１１を参照して述べたように実施されてもよい。しかしながら、上述したように、図１２の実施形態は、他のワイヤレス技術をサポートする異なるトランシーバを含むように変更されてもよい。
【０１１６】
プロセッサ１２１０は、装置の動作を制御する。図１２に示すように、プロセッサ１２１０は、受信器１１１４と、トランシーバ１１２０及び１１２８とに結合される。プロセッサ１２１０は、メモリ１２１２に記憶されたソフトウェアインストラクションを各々実行できる１つ以上のマイクロプロセッサで実施されてもよい。
【０１１７】
メモリ１２１２は、ランダムアクセスメモリ（ＲＡＭ）、リードオンリメモリ（ＲＯＭ）、及び／又はフラッシュメモリを備え、データ及びソフトウェアコンポーネント（ここでは、モジュールとも称される）の形態の情報を記憶する。これらのソフトウェアコンポーネントは、プロセッサ１２１０により実行できるインストラクションを含む。種々の形式のソフトウェアコンポーネントをメモリ１２１２に記憶することができる。例えば、メモリ１２１２は、受信器１１１４、トランシーバ１１２０、及びトランシーバ１１２８の動作を制御するソフトウェアコンポーネントを記憶することができる。又、メモリ１２１２は、ホスト１１０２、制御インターフェイス１１０４、コントローラ１１０６、セキュリティモジュール１１０７、並びにリンクコントローラ１１１２、１１１８及び１１２６のファンクションを与えるソフトウェアコンポーネントも記憶できる。
【０１１８】
更に、メモリ１２１２は、ユーザインターフェイス１２１４による情報の交換を制御するソフトウェアコンポーネントも記憶できる。図１２に示すように、ユーザインターフェイス１２１４もプロセッサ１２１０に結合される。ユーザインターフェイス１２１４は、ユーザとの情報の交換を促進する。図１２に示すように、ユーザインターフェイス１２１４は、ユーザ入力部分１２１６及びユーザ出力部分１２１８を備えている。
【０１１９】
ユーザ入力部分１２１６は、ユーザが情報を入力するのを許す１つ以上の装置を含んでもよい。このような装置は、例えば、キーパッド、タッチスクリーン及びマイクロホンを含む。ユーザ出力部分１２１８は、ユーザが装置から情報を受信するのを許す。従って、ユーザ出力部分１２１８は、種々の装置、例えば、ディスプレイ、１つ以上のオーディオスピーカ（例えば、ステレオスピーカ）、これらスピーカを駆動するためのオーディオプロセッサ及び／又は増幅器を含んでもよい。例えば、ディスプレイは、カラー液晶ディスプレイ（ＬＣＤ）、及びカラービデオディスプレイを含む。
【０１２０】
図１２に示す要素は、種々の技術に基づいて結合されてもよい。１つのこのような技術は、受信器１１１４、トランシーバ１１２０及び１１２８、プロセッサ１２１０、メモリ１２１２、及びユーザインターフェイス１２１４を、１つ以上のバスインターフェイスを通して結合することを含む。更に、これらコンポーネントの各々は、電源、例えば、取り外し可能な及び／又は再充電可能なバッテリパック（図示せず）に結合される。
【０１２１】
図１１及び１２を参照して上述した装置のようなターミナル装置は、ここに述べる技術に基づいて送信された情報を受信することができる。例えば、図１１のアーキテクチャーに基づいて実施されるターミナル装置は、ＤＶＢ−Ｈ無線装置１１０８を通してコンテンツアイテムを受信することができる。ＥＳＧ、権利キー、及びＲＯは、無線装置１１０８、１１１０又は１１２４のいずれかを経て受信されてもよい。
【０１２２】
例えば、この実施形態において、権利キー及びＲＯが、セルラーネットワークにわたり（例えば、ＲＯサーバーから）ターミナル装置（１つ又は複数）へ送信される。従って、このような送信は、セルラー無線装置１１１０を通して受け取られる。更に、このような情報（即ち、ＲＯ及び／又は権利キー）を得ることは、セルラーネットワークにわたり、セルラー無線装置１１１０を含む通信、例えば、ｅコマーストランザクションを通して、構成されてもよい。同様の通信を、ショートレンジワイヤレス無線装置１１２４を含むショートレンジネットワークにわたって遂行することができる。
【０１２３】
IX．コンピュータシステム
本発明の特徴は、１つ以上のコンピュータシステムで実施することができる。例えば、コンピュータシステムは、コンテンツ及びＥＳＧサーバーにより使用される技術を実施するのに使用できる。コンピュータシステム１３０１が図１３に例示されている。このコンピュータシステム１３０１は、単一又はマルチプロセッサコンピュータを表わす。単一スレッド及びマルチスレッドのコンピュータを使用することができる。統合型又は分散型のメモリシステムを使用することができる。
【０１２４】
コンピュータシステム１３０１は、１つ以上のプロセッサ、例えば、プロセッサ１３０４を備えている。１つ以上のプロセッサ１３０４が、図４を参照して上述したプロセスを実施するソフトウェアを実行することができる。各プロセッサ１３０４は、通信インフラストラクチャー１３０２（例えば、通信バス、クロスバー、又はネットワーク）に接続される。この例示的コンピュータシステムに関して種々のソフトウェア実施形態を説明する。この説明を読んだ後に、当業者であれば、他のコンピュータシステム及び／又はコンピュータアーキテクチャーを使用して本発明をいかに実施すべきか明らかとなろう。
【０１２５】
又、コンピュータシステム１３０１は、好ましくはランダムアクセスメモリ（ＲＡＭ）であるメインメモリ１３０７も備えている。又、コンピュータシステム１３０１は、二次メモリ１３０８を備えてもよい。この二次メモリ１３０８は、例えば、ハードディスクドライブ１３１０、及び／又は取り外し可能な記憶ドライブ１３１２を含んでもよく、これは、フロッピー（登録商標）ディスクドライブ、磁気テープドライブ、光学ディスクドライブ、等を表わす。取り外し可能な記憶ドライブ１３１２は、良く知られた仕方で取り外し可能な記憶ユニット１３１４から読み取りを行い、及び／又はそこへの書き込みを行なう。取り外し可能な記憶ユニット１３１４は、取り外し可能な記憶ドライブ１３１２により読み取り及び書き込みされるフロッピー（登録商標）ディスク、磁気テープ、光学ディスク、等を表わす。明らかなように、取り外し可能な記憶ユニット１３１４は、コンピュータソフトウェア及び／又はデータを記憶したコンピュータ使用可能な記憶媒体を含む。
【０１２６】
別の実施形態において、二次メモリ１３０８は、コンピュータプログラム又は他のインストラクションをコンピュータシステム１３０１にロードするのを許すための他の同様の手段を含んでもよい。このような手段は、例えば、取り外し可能な記憶ユニット１３２２及びインターフェイス１３２０を含むことができる。例えば、プログラムカートリッジ及びカートリッジインターフェイス（ビデオゲーム装置に見られるような）や、取り外し可能なメモリチップ（ＥＰＲＯＭ又はＰＲＯＭのような）及び関連ソケットや、取り外し可能な記憶ユニット１３２２からコンピュータシステム１３０１へソフトウェア及びデータを転送するのを許す他の取り外し可能な記憶ユニット１３２２及びインターフェイス１３２０が含まれる。
【０１２７】
又、コンピュータシステム１３０１は、通信インターフェイス１３２４も含むことができる。この通信インターフェイス１３２４は、通信経路１３２７を経てコンピュータシステム１３０１と外部装置との間でソフトウェア及びデータを転送するのを許す。通信インターフェイス１３２４は、例えば、モデム、ネットワークインターフェイス（イーサネット（登録商標）カードのような）、通信ポート、等を含む。通信インターフェイス１３２４を経て転送されるソフトウェア及びデータは、通信経路１３２７を経て通信インターフェイス１３２４により受信できる電子、電磁、光学又は他の信号である信号１３２８の形態である。通信インターフェイス１３２４は、コンピュータシステム１３０１がインターネットのようなネットワークへインターフェイスできるようにする手段をなすことに注意されたい。
【０１２８】
本発明は、図１３を参照して上述したものと同様の環境において動作する（即ち、実行される）ソフトウェアを使用して実施することができる。本書において、「コンピュータプログラム製品」という語は、一般に、取り外し可能な記憶ユニット１３１４及び１３２２、ハードディスクドライブ１３１０にインストールされるハードディスク、或いは通信経路１３２７（ワイヤレスリンク又はケーブル）を経て通信インターフェイス１３２４へソフトウェアを搬送する信号を指すのに使用される。コンピュータ使用可能な媒体とは、磁気媒体、光学媒体、又は他の記録可能な媒体、或いは搬送波や他の信号を送信する媒体を含むことができる。これらのコンピュータプログラム製品は、コンピュータシステム１３０１へソフトウェアを与えるための手段である。
【０１２９】
コンピュータプログラム（コンピュータ制御ロジックとも称される）は、メインメモリ１３０７及び／又は二次メモリ１３０８に記憶される。又、コンピュータプログラムは、通信インターフェイス１３２４を経て受信することもできる。このようなコンピュータプログラムは、実行時に、コンピュータシステム１３０１が、ここに述べた本発明の特徴を遂行できるようにする。より詳細には、コンピュータプログラムは、実行時に、プロセッサ１３０４が本発明の特徴を遂行できるようにする。従って、このようなコンピュータプログラムは、コンピュータシステム１３０１のコントローラを表わす。
【０１３０】
本発明は、ソフトウェア、ファームウェア、ハードウェア又はその組み合せにおいて、制御ロジックとして実施することができる。ソフトウェアを使用して本発明が実施される実施形態では、取り外し可能な記憶ドライブ１３１２、ハードドライブ１３１０又はインターフェイス１３２０を使用して、ソフトウェアをコンピュータプログラム製品に記憶しそしてコンピュータシステム１３０１へロードすることができる。或いは又、通信経路１３２７を経てコンピュータシステム１３０１へコンピュータプログラム製品をダウンロードすることもできる。制御ロジック（ソフトウェア）は、１つ以上のプロセッサ１３０４により実行されたときに、プロセッサ１３０４（１つ又は複数）が、ここに述べた本発明の特徴を実行するようにさせる。
【０１３１】
別の実施形態では、本発明は、例えば、特定用途向け集積回路（ＡＳＩＣ）のようなハードウェアコンポーネントを使用して、ファームウェア及び／又はハードウェアにおいて主として実施される。ここに述べたファンクションを遂行するためのハードウェアステートマシンの実施は、当業者にとって明らかであろう。
【０１３２】
Ｘ．結論
本発明の種々の実施形態を以上に説明したが、それらは、単なる例示に過ぎず、本発明をそれに限定するものではないことを理解されたい。例えば、ＤＶＢ−Ｈ技術を含む実施例を説明したが、他の通信技術も本発明の範囲内である。
【０１３３】
従って、当業者であれば、本発明の精神及び範囲から逸脱せずに、その形態及び細部に種々の変更がなされ得ることが明らかであろう。従って、本発明の範囲は、上述した実施形態に限定されるものではなく、特許請求の範囲及びその等効物によってのみ限定されるものとする。
【図面の簡単な説明】
【０１３４】
【図１】動作環境を例示する図である。
【図２】タイムスライス技術を示す図である。
【図３】平文及び暗号化ストリーミングコンテンツの一実施例を示す図である。
【図４】本発明の態様に基づく動作のフローチャートである。
【図５】パラレルに放送される平文及び暗号化コンテンツキーの一実施例を示す図である。
【図６】本発明の態様に基づく動作のフローチャートである。
【図７Ａ】権利オブジェクトにおけるプレビュールールを使用した送信を示す図である。
【図７Ｂ】権利オブジェクトにおけるプレビュールールを使用した送信を示す図である。
【図８】本発明の態様に基づく動作のフローチャートである。
【図９】本発明の態様に基づく送信機構を例示する図である。
【図１０Ａ】本発明の態様に基づく送信機構を例示する図である。
【図１０Ｂ】本発明の態様に基づく送信機構を例示する図である。
【図１１】ターミナル装置のアーキテクチャーを例示する図である。
【図１２】ターミナル装置の実施例を示す図である。
【図１３】コンピュータシステムを例示する図である。
【図１】
2008512915.tif 000005
【図２】
2008512915.tif 000006
【図３】
2008512915.tif 000007
【図４】
2008512915.tif 000008
【図５】
2008512915.tif 000009
【図６】
2008512915.tif 000010
【図７Ａ】
2008512915.tif 000011
【図７Ｂ】
2008512915.tif 000012
【図８】
2008512915.tif 000013
【図９】
2008512915.tif 000014
【図１０Ａ】
2008512915.tif 000015
【図１０Ｂ】
2008512915.tif 000016
【図１１】
2008512915.tif 000017
【図１２】
2008512915.tif 000018
【図１３】
2008512915.tif 000019
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
（ａ）プレビューのためにコンテンツアイテムの１つ以上の部分を指定するステップと、
（ｂ）前記１つ以上の指定の部分に関する情報を有する電子サービスガイド(ESG)を発生するステップと、
（ｃ）前記１つ以上の指定の部分を平文形態でネットワークにわたり第１チャンネルにおいて第１間隔で送信するステップと、
（ｄ）前記コンテンツアイテムの残りの部分を暗号化形態でネットワークにわたり前記第１チャンネルにおいて第２間隔で送信するステップと、
（ｅ）暗号化されたコンテンツキーをネットワークにわたり第２チャンネルにおいて前記第２間隔で送信するステップと、
（ｆ）前記コンテンツキーの１つ以上に使用制限を課する１つ以上のルールをネットワークにわたって送信するステップと、
を備えた方法。
【請求項２】
前記ステップ（ａ）は、時間間隔を指定することを含む、請求項１に記載の方法。
【請求項３】
前記指定の時間間隔は、周期的に発生する、請求項２に記載の方法。
【請求項４】
前記ネットワークは、デジタル・ビデオ・ブロードキャスト−ハンドヘルド（ＤＶＢ−Ｈ）ネットワークである、請求項１に記載の方法。
【請求項５】
前記ネットワークにわたって前記ＥＳＧを送信するステップを更に備えた、請求項１に記載の方法。
【請求項６】
（ａ）プレビューのためにコンテンツアイテムの１つ以上の部分を指定するステップと、
（ｂ）前記１つ以上の指定の部分に関する情報を有する電子サービスガイド(ESG)を発生するステップと、
（ｃ）前記コンテンツアイテムを暗号化形態でネットワークにわたり第１チャンネルにおいてある間隔で送信するステップと、
（ｄ）前記コンテンツアイテムの対応部分を各々解読するための複数のコンテンツキーを暗号化形態でネットワークにわたり第２チャンネルにおいて前記間隔で送信するステップと、
（ｅ）前記コンテンツアイテムの前記１つ以上の指定の部分に対応する複数のコンテンツキーの１つ以上を平文形態でネットワークにわたり送信するステップと、
（ｆ）前記コンテンツキーの１つ以上に使用制限を課する１つ以上のプレビュールールをネットワークにわたって送信するステップと、
を備えた方法。
【請求項７】
前記ステップ（ａ）は、時間間隔を指定することを含む、請求項６に記載の方法。
【請求項８】
前記指定の時間間隔は、周期的に発生する、請求項７に記載の方法。
【請求項９】
前記ネットワークは、デジタル・ビデオ・ブロードキャスト−ハンドヘルド（ＤＶＢ−Ｈ）ネットワークである、請求項６に記載の方法。
【請求項１０】
前記ネットワークにわたって前記ＥＳＧを送信するステップを更に備えた、請求項６に記載の方法。
【請求項１１】
（ａ）コンテンツアイテムを暗号化形態でネットワークにわたり第１チャンネルにおいてある間隔で送信するステップと、
（ｂ）前記コンテンツアイテムの対応部分を各々解読するための複数のコンテンツキーを第１の暗号化形態でネットワークにわたり第２チャンネルにおいて前記間隔で送信するステップと、
（ｃ）前記複数のコンテンツキーの１つ以上を第２の暗号化形態でネットワークにわたって送信するステップと、
（ｄ）前記第１の暗号化形態における前記複数のコンテンツキーを解読するための加入者権利キーをネットワークにわたって送信するステップと、
（ｅ）前記第２の暗号化形態における１つ以上のコンテンツキーを解読するためのプレビュー権利キーをネットワークにわたって送信するステップと、
（ｆ）前記プレビュー権利キーに使用制限を課する１つ以上のプレビュールールをネットワークにわたって送信するステップと、
を備えた方法。
【請求項１２】
プレビューのためにコンテンツアイテムの１つ以上の部分を指定するステップを更に備え、前記第２の暗号化形態における前記１つ以上のコンテンツキーは、前記コンテンツアイテムの１つ以上の指定の部分に対応する、請求項１１に記載の方法。
【請求項１３】
前記ステップ（ａ）は、時間間隔を指定することを含む、請求項１２に記載の方法。
【請求項１４】
前記指定の時間間隔は、周期的に発生する、請求項１３に記載の方法。
【請求項１５】
前記ネットワークは、デジタル・ビデオ・ブロードキャスト−ハンドヘルド（ＤＶＢ−Ｈ）ネットワークである、請求項１１に記載の方法。
【請求項１６】
前記ネットワークにわたって前記ＥＳＧを送信するステップを更に備えた、請求項１１に記載の方法。
【請求項１７】
プレビューのためにコンテンツアイテムの１つ以上の部分を指定する手段と、
前記１つ以上の指定の部分に関する情報を有する電子サービスガイド(ESG)を発生する手段と、
前記１つ以上の指定の部分を平文形態でネットワークにわたり第１チャンネルにおいて第１間隔で送信する手段と、
前記コンテンツアイテムの残りの部分を暗号化形態でネットワークにわたり前記第１チャンネルにおいて第２間隔で送信する手段と、
暗号化されたコンテンツキーをネットワークにわたり第２チャンネルにおいて前記第２間隔で送信する手段と、
前記コンテンツキーの１つ以上に使用制限を課する１つ以上のルールをネットワークにわたって送信する手段と、
を備えたシステム。
【請求項１８】
プレビューのためにコンテンツアイテムの１つ以上の部分を指定する手段と、
前記１つ以上の指定の部分に関する情報を有する電子サービスガイド(ESG)を発生する手段と、
前記コンテンツアイテムを暗号化形態でネットワークにわたり第１チャンネルにおいてある間隔で送信する手段と、
前記コンテンツアイテムの対応部分を各々解読するための複数のコンテンツキーを暗号化形態でネットワークにわたり第２チャンネルにおいて前記間隔で送信する手段と、
前記コンテンツアイテムの前記１つ以上の指定の部分に対応する複数のコンテンツキーの１つ以上を平文形態でネットワークにわたり送信する手段と、
前記コンテンツキーの１つ以上に使用制限を課する１つ以上のプレビュールールをネットワークにわたって送信する手段と、
を備えたシステム。
【請求項１９】
コンテンツアイテムを暗号化形態でネットワークにわたり第１チャンネルにおいてある間隔で送信する手段と、
前記コンテンツアイテムの対応部分を各々解読するための複数のコンテンツキーを第１の暗号化形態でネットワークにわたり第２チャンネルにおいて前記間隔で送信する手段と、
前記複数のコンテンツキーの１つ以上を第２の暗号化形態でネットワークにわたり送信する手段と、
前記第１の暗号化形態における前記複数のコンテンツキーを解読するための加入者権利キーをネットワークにわたって送信する手段と、
前記第２の暗号化形態における１つ以上のコンテンツキーを解読するためのプレビュー権利キーをネットワークにわたって送信する手段と、
前記プレビュー権利キーに使用制限を課する１つ以上のプレビュールールをネットワークにわたって送信する手段と、
を備えたシステム。
【請求項２０】
プレビューのために指定されるコンテンツアイテムの１つ以上の部分に関する情報を有する電子サービスガイド(ESG)を受信する手段と、
前記コンテンツアイテムの１つ以上の指定の部分を平文形態で第１チャンネルにおいて第１インターベルで受信する手段と、
前記コンテンツアイテムの残りの部分を暗号化形態で前記第１チャンネルにおいて第２間隔で受信する手段と、
暗号化されたコンテンツキーを第２チャンネルにおいて前記第２間隔で受信する手段と、
前記コンテンツキーの１つ以上に使用制限を課する１つ以上のルールをネットワークにわたって受信する手段と、
を備えたターミナル装置。
【請求項２１】
プレビューのために指定されるコンテンツアイテムの１つ以上の部分に関する情報を有する電子サービスガイド(ESG)を受信する手段と、
前記コンテンツアイテムを暗号化形態で第１チャンネルにおいてある間隔で受信する手段と、
前記コンテンツアイテムの１つ以上の指定の部分に対応する１つ以上のコンテンツキーを平文形態で第２チャンネルにおいて前記間隔で受信する手段と、
前記コンテンツキーの１つ以上に使用制限を課する１つ以上のプレビュールールをネットワークにわたって受信する手段と、
を備えたターミナル装置。
【請求項２２】
１つ以上のコンテンツキーを受信する前記手段は、セルラー通信ネットワークにわたり通信するように構成されたトランシーバを備えた、請求項２１に記載のターミナル装置。
【請求項２３】
１つ以上のコンテンツキーを受信する前記手段は、ショートレンジのワイヤレス通信ネットワークにわたり通信するように構成されたトランシーバを備えた、請求項２２に記載のターミナル装置。
【請求項２４】
コンテンツアイテムを暗号化形態で第１チャンネルにおいてある間隔で受信する手段と、
前記コンテンツアイテムの対応部分を各々解読するための複数のコンテンツキーを暗号化形態で第２チャンネルにおいて前記間隔で受信する手段と、
第２の暗号化形態における１つ以上のコンテンツキーを解読するためのプレビュー権利キーをネットワークにわたり受信する手段と、
前記プレビュー権利キーに使用制限を課する１つ以上のプレビュールールをネットワークにわたって受信する手段と、
を備えたターミナル装置。
【請求項２５】
プレビュー権利キーを受信する前記手段は、セルラー通信ネットワークにわたり通信するように構成されたトランシーバを備えた、請求項２４に記載のターミナル装置。
【請求項２６】
プレビュー権利キーを受信する前記手段は、ショートレンジのワイヤレス通信ネットワークにわたって通信するように構成されたトランシーバを備えた、請求項２４に記載のターミナル装置。
【請求項２７】
プレビューのために指定されるコンテンツアイテムの１つ以上の部分に関する情報を有する電子サービスガイド(ESG)を与えるように構成された第１サーバーと、
前記コンテンツアイテムの１つ以上の指定の部分を平文形態で第１チャンネルにおいて第１間隔で与えると共に、前記コンテンツアイテムの残りの部分を暗号化形態で前記第１チャンネルにおいて第２間隔で与え、且つ暗号化されたコンテンツキーを第２チャンネルにおいて前記第２間隔で与えるように構成された第２サーバーと、
を備え、前記第２サーバーは、前記コンテンツキーの１つ以上に使用制限を課する１つ以上のルールを与えるように構成された、システム。
【請求項２８】
プレビューのために指定されるコンテンツアイテムの１つ以上の部分に関する情報を有する電子サービスガイド(ESG)を与えるように構成された第１サーバーと、
前記コンテンツアイテムを暗号化形態で第１チャンネルにおいてある間隔で与えるように構成された第２サーバーと、
１つ以上のコンテンツキーを平文形態で、そして１つ以上のキーを暗号化形態で第２チャンネルにおいて前記間隔で与えるように構成された第３サーバーと、
を備え、前記平文形態における前記１つ以上のコンテンツキーは、前記コンテンツアイテムの１つ以上の指定の部分を解読するものであり、そして前記暗号化形態における前記１つ以上のコンテンツキーは、前記コンテンツアイテムの残りの部分を解読するものであり、そして
前記第３サーバーは、前記コンテンツキーの１つ以上に使用制限を課する１つ以上のプレビュールールを与えるように構成された、システム。
【国際調査報告】
2008512915.tif 000020
2008512915.tif 000021
2008512915.tif 000022
2008512915.tif 000023